(57)【特許請求の範囲】
【請求項１】
端末（ＴＥ）から通信ネットワーク（ＫＮ１）のサービス提供装置（ＳＵ）にサービス要求（ＲＥＱ１）を送信し、そして
サービス要求（ＲＥＱ１）を受取った時にサービス提供装置（ＳＵ）のサービス−特定サービス論理装置（ＳＬ１）を起動するステップを含む通信サービス提供方法であって、
サービス要求（ＲＥＱ１）を受取った時、サービス−特定制御プログラム（ＰＲＯ）がサービス提供装置（ＳＵ）から要求している端末（ＴＥ）にロードされ、そして
サービスを提供する時に、サービス提供装置（ＳＵ）におけるサービス−特定サービス論理装置（ＳＬ１）が端末（ＴＥ）におけるサービス−特定制御プログラム（ＰＲＯ）と共同することを特徴とする通信サービス提供方法。
【請求項２】
サービスの提供後、端末（ＴＥ）におけるサービス−特定制御プログラム（ＰＲＯ）は除去されることを特徴とする請求項１記載の方法。
【請求項３】
サービス−特定制御プログラム（ＰＲＯ）は、標準規格化されたロード方法を使用してサービス提供装置（ＳＵ）から要求している端末（ＴＥ）にロードされることを特徴とする請求項１記載の方法。
【請求項４】
呼出される加入者の番号を表すサービス識別コードを含む接続要求のシグナリングが、サービス要求（ＲＥＱ１）として検出されることを特徴とする請求項１記載の方法。
【請求項５】
サービス要求（ＲＥＱ１）が通信ネットワーク（ＫＮ１）のサービス交換局（ＳＳＰ１〜ＳＳＰ３）によって検出され、そしてサービス交換局（ＳＳＰ１〜ＳＳＰ３）は中央サービス制御装置（ＳＣＰ１）内のサービス論理装置（ＳＬ１）を起動することを特徴とする請求項１記載の方法。
【請求項６】
サービス−特定制御プログラム（ＰＲＯ）はサービス交換局（ＳＳＰ１〜ＳＳＰ３）と結合するサービスサポートシステム（ＩＰ１〜ＩＰ３）中に記憶されており、サービス要求（ＲＥＱ１）を受取った時、サービスサポートシステム（ＩＰ１〜ＩＰ３）はサービス−特定制御プログラム（ＰＲＯ）を要求している端末（ＴＥ）にロードすることを特徴とする請求項５記載の方法。
【請求項７】
異なるサービスに割当てられた複数のサービス−特定制御プログラム（ＰＲＯ）がサービスサポートシステム（ＩＰ１〜ＩＰ３）中に記憶されていることを特徴とする請求項６記載の方法。
【請求項８】
サービス−特定制御プログラム（ＰＲＯ）をロードするために、伝送チャンネルが端末（ＴＥ）とサービス提供装置（ＳＵ）との間に設定されることを特徴とする請求項１記載の方法。
【請求項９】
ロードするために、サービス−特定制御プログラム（ＰＲＯ）がシグナリングチャンネル上を伝送されることを特徴とする請求項１記載の方法。
【請求項１０】
通信サービスを提供するように機能する少なくとも１つのサービス論理装置（ＳＬ１〜ＳＬ３）と、通信サービスを要求している端末（ＴＥ）からサービス要求（ＲＥＱ１）を受取る受信装置（ＫＯＭ４）と、そしてサービス論理装置またはサービス論理装置の中のサービスを特定されたもの（ＳＬ１）を起動するように構成されている制御装置（ＣＯＮＴＲ１、ＣＯＮＴＲ３）とを含む通信ネットワーク（ＫＮ１）用のサービス提供装置（ＳＵ）であって、
サービス提供装置（ＳＵ）は、サービス要求（ＲＥＱ１）を受取った時に、要求している端末（ＴＥ）にサービス−特定制御プログラム（ＰＲＯ）をロードするように構成されているロード装置（ＬＯＡＤ）をさらに含み、
起動されたサービス論理装置（ＳＬ１）は、サービスの提供時に端末（ＴＥ）におけるサービス−特定制御プログラム（ＰＲＯ）と共同するように構成されていることを特徴とする通信ネットワーク用のサービス提供装置。
【請求項１１】
サービス提供装置（ＳＵ）は通信ネットワークの交換局であることを特徴とする請求項１０記載のサービス提供装置。
【請求項１２】
サービス提供装置（ＳＵ）は、２以上のサービス交換局（ＳＳＰ１〜ＳＳＰ３）および少なくとも１つの中央サービス制御装置（ＳＣＰ１、ＳＣＰ２）を具備していることを特徴とする請求項１０記載のサービス提供装置。
【請求項１３】
通信サービスを提供するように機能する少なくとも１つのサービス論理装置（ＳＬ１〜ＳＬ３）と、サービス要求（ＲＥＱ１）を受取った時にサービス論理装置またはサービス論理装置のサービスが特定されたもの（ＳＬ１）を起動するように構成されている制御装置（ＣＯＮＴＲ１）とを含む、通信ネットワーク（ＫＮ１）用のサービスコンピュータ（ＳＣＰ１）であって、
制御装置（ＣＯＮＴＲ１）は、サービス要求（ＲＥＱ１）を受取った時に、サービス−特定制御プログラム（ＰＲＯ）が要求している端末（ＴＥ）にロードされるように構成されており、そして
起動されたサービス論理装置（ＳＬ１）は、サービスを提供する時に端末（ＴＥ）におけるサービス特定−制御プログラム（ＰＲＯ）と共同するように構成されていることを特徴とする通信ネットワーク（ＫＮ１）用のサービスコンピュータ（ＳＣＰ１）。
【請求項１４】
通信ネットワーク（ＫＮ１）へ接続するための端末（ＴＥ）であって、
制御プログラム（ＰＲＯ）を記憶するメモリ装置（ＭＥＭ）と、
通信ネットワーク（ＫＮ１）のサービス提供装置（ＳＵ）からメモリ装置（ＭＥＭ）にサービス−特定制御プログラム（ＰＲＯ）をロードするロード装置と、
通信サービスを提供する時に、ロードされたサービス−特定制御プログラム（ＰＲＯ）にしたがって、サービス提供装置（ＳＵ）のサービス−特定サービス論理装置（ＳＬ１）と共同するように構成されている制御装置と
を具備していることを特徴とする端末。
【請求項１５】
通信サービスが請求項１記載の方法にしたがって提供されるように構成されている通信ネットワーク（ＫＮ１）。
【発明の詳細な説明】
【０００１】
【発明の属する技術分野】
本発明は、端末から通信ネットワークのサービス装置にサービス要求が送信され、サービス要求を受取った時にサービス装置のサービス特定サービス論理装置を付勢するステップを含んでいる通信サービスを提供する方法、通信サービスを提供するように機能する少なくとも１つのサービス論理装置と、通信サービスを要求している端末からサービス要求を受取る受信装置と、サービス論理装置またはサービス論理装置の中のサービスを特定されたものを付勢するように構成されている制御装置とを含んでいる通信ネットワーク用のサービス装置、サービスコンピュータ、通信ネットワークに接続するための端末、および通信ネットワークに関する。
【０００２】
【従来の技術】
通信ネットワークの加入者は、“サービス１３０（フリーホン）”のような通信サービスを提供されることが増加している。本発明は、このような通信サービスがＩＮアーキテクチャ（ＩＮ＝インテリジェントネットワーク）によって提供されるという想定に基づいている。
通信サービスを提供するこの方法は、例えば文献（J.P.Euzen et al," Produkte fur intelligente Netze",Elektrisches Nachrichtenwesen,Vol.63,No.4,1989,pages 321 to 330）に記載されている。
【０００３】
通信ネットワークは、Ｎｏ．７信号ネットワークを介して多数のサービス制御点に接続された多数のサービススイッチング点を含んでいる。サービスの供給を制御するサービス論理装置は、サービス制御点に集中的に配置されている。サービスを要求するために、加入者はサービス識別コードをダイヤルする。サービス識別コードによる接続要求がサービス制御点の１つに送られ、それがサービス識別コードを認識して、対応したサービス制御点にメッセージを送る。そこでサービス識別コードに対応したサービス論理装置が付勢される。サービスを提供するために、サービス論理装置はサービススイッチング点における呼処理制御に作用するか、或はサービススイッチング点に指令してメッセージを要求している端末に送らせる。
【０００４】
【発明が解決しようとする課題】
この通信サービスを提供する方法では、通常の電話機だけがユーザーインターフェイスとして利用可能であり、かつこのような通常の電話機だけがサービス論理装置によってサポートされる。これが、ユーザーインターフェイスの設計および新しいサービスの発達を制限している。
本発明の目的は、さらにユーザーにとって便利であり、かつより複雑な通信サービスの導入を容易にすることである。
【０００５】
【課題を解決するための手段】
この目的は、サービス要求を受取った時、サービス特定制御プログラム（即ち、サービス−特定制御プログラム）がサービス装置（即ち、サービス提供装置）から要求している端末にロードされ、サービスを提供する時に、サービス装置におけるサービス特定サービス論理装置が端末におけるサービス特定制御プログラムと共同する通信サービスを提供する方法、およびサービス要求を受取った時に、要求している端末にサービス特定制御プログラムをロードするように構成されているロード装置を含んでおり、付勢された（即ち、起動された）サービス論理装置は、サービスの提供時に端末におけるサービス特定制御プログラムと共同するように構成されているサービス装置或いはサービスコンピュータ、並びに制御プログラムを記憶するメモリ装置と、通信ネットワークのサービス装置からメモリ装置にサービス特定制御プログラムをロードするロード装置と、通信サービスを提供する時にロードされたサービス特定制御プログラムにしたがってサービス装置のサービス特定サービス論理装置と共同するように構成されている制御装置とを具備している端末によって達成される。
【０００６】
本発明の基本的な考えは、通信サービスの付勢後に、サービス特定制御プログラムが加入者の端末中にロードされることである。その後、通信ネットワークのサービス論理装置により端末におけるこのサービス特定制御プログラムと共同してサービスが提供される。制御プログラムは、サービスを提供する時にサービス論理装置をサポートする。
【０００７】
加入者の端末の動作を制御するサービス特定制御プログラムにより、通信サービスの発達の自由度が増す。さらに、端末の制御は各サービスに依存しているため、複数のサービスに適合するユーザーインターフェイスが設けられる。これらの利点は、端末の論理装置を過負荷にせず、かつ特定のサービスに対する特定の端末を必要とせずに達成される。低コストで大量生産されることのできる簡単な標準規格化された端末は、複数の通信サービスに適合するユーザーインターフェイスを形成することができる。この端末のフレキシビリティはまた、新しい通信サービスの導入のスピードアップを可能にする。
本発明の別の有効な観点は、請求項２乃至９、１１および１２に詳細に限定されている。
【０００８】
ＩＮアーキテクチャの機構を使用してサービスを提供するこの新しい概念を実施することは特に有効である。これは、既存の通信インフラストラクチャにおいて主要な介在を伴わずにその概念を簡単に実施することを可能にする。
【０００９】
【発明の実施の形態】
本発明は、以下の２つの実施形態の説明および添付図面から明らかになるであろう。
第１の実施形態において、本発明による端末が本発明によるサービス装置と相互作用し、このサービス装置がＩＮアーキテクチャに基づいた構造を有し、かつ本発明によるサービスコンピュータを含んでいる通信環境において、本発明による方法による通信サービスを提供することを説明する。
図１は、通信ネットワークＫＮ１、サービス装置ＳＵおよび加入者Ａに割当られた端末ＴＥを示す。
【００１０】
端末ＴＥは、特定の設計の電話機端末である。サービス装置ＳＵは、端末ＴＥによって通信ネットワークＫＮ１を介して要求される通信サービスを提供する。
【００１１】
サービス装置ＳＵは、いくつかのサービス交換局ＳＳＰ１乃至ＳＳＰ３、いくつかのサービスサポートシステムＩＰ１乃至ＩＰ３、通信ネットワークＫＮ２およびいくつかのサービス制御装置ＳＣＰ１およびＳＣＰ２によって形成される。サービス交換局ＳＳＰ１乃至ＳＳＰ３およびサービスサポートシステムＩＰ１乃至ＩＰ３は、通信ネットワークＫＮ２を介してサービス制御装置ＳＣＰ１およびＳＣＰ２に接続されている。
【００１２】
通信ネットワークＫＮ１は、通常の電話ネットワークのように設計されており、したがって多数の交換局を含んでいる。これらの交換局のうち、図１に示されているサービス交換局ＳＳＰ１乃至ＳＳＰ３は特別な設計のものである。呼出される加入者番号を表す特定のサービス識別コードを含む接続要求が発生した時に、それらはサービス制御装置ＳＣＰ１またはＳＣＰ２に通信ネットワークＫＮ２を介して質問を送信する。これらの質問に応答して、それらは接続要求をさらに処理するための命令を受取る。
【００１３】
２以上の相互接続されたサブネットワークから通信ネットワークＫＮ１を形成することも可能である。このようなサブネットワークは、例えば種々のネットワークオペレータの公共ネットワーク、私設ネットワークまたは移動無線ネットワークであってもよい。
【００１４】
サービスサポートシステムＩＰ１，ＩＰ２およびＩＰ３は、サービス交換局ＳＳＰ１，ＳＳＰ２およびＳＳＰ３とそれぞれ関連しており、通信サービスを提供する時に、特に通信ネットワークＫＮ１の端末と通信する時に後者をサポートする。これを達成するために、それらはサービス交換局ＳＳＰ１乃至ＳＳＰ３への伝送チャンネルおよび信号インターフェイスを有している。それらはサービス制御装置ＳＣＰ１およびＳＣＰ２によって直接的に、或はサービス交換局ＳＳＰ１，ＳＳＰ２およびＳＳＰ３を介してそれぞれ間接的に制御される。
【００１５】
２以上のサービス交換局とサービスサポートシステムを関連させることもできる。さらに、サービスサポートシステムＩＰ１乃至ＩＰ３の機能をサービス交換局ＳＳＰ１乃至ＳＳＰ３に統合することができる。
【００１６】
通信ネットワークＫＮ２は、ＣＣＩＴＴ  Ｎｏ．７システムに基づいたシグナリングネットワークである。通信ネットワークＫＮ２としてその他の任意のデータネットワーク、例えばＸ．２５パケットネットワークを使用することもできる。
【００１７】
各サービス制御装置ＳＣＰ１およびＳＣＰ２は、１以上の通信サービスを提供するように機能するサービスコンピュータを表している。それらはそれぞれ１個のコンピュータまたは２以上の相互接続されたコンピュータ、および特に通信ネットワークＫＮ２を介したデータ通信を可能にする周辺素子から構成されている。このハードウェアプラットフォームは、サービス制御点の機能を実行し、したがって特に１以上の通信サービスの提供を制御する制御プログラムを動作する。サービス装置ＳＵはまた１個のサービス交換局および１個のサービス制御装置だけから形成されてもよい。
【００１８】
以下、図２により本発明による方法および端末ＴＥの詳細な構成を説明する。図２は、端末ＴＥと、サービス交換局ＳＳＰ１、関連したサービスサポートシステムＩＰ１およびサービス制御装置ＳＣＰ１を備えたサービス装置ＳＵの一部分とを示している。
【００１９】
サービス装置ＳＵによって通信ネットワークＫＮ１において提供されている通信サービスを要求するために、加入者Ａは彼または彼女の端末ＴＥにおいてこのサービスの識別コードをダイヤルする。呼出される加入者の番号を表すこのサービス識別コードを含むサービス要求ＲＥＱ１は通信ネットワークＫＮ１を通って伝送され、例えばサービス交換局ＳＳＰ１によってサービス要求として認識される。その後、サービス交換局ＳＳＰ１は、接続要求において特定されているサービスを提供することのできるそのサービス制御装置に通信ネットワークＫＮ２を介してメッセージＲＥＱ２を送る。
【００２０】
サービス装置ＳＵからのサービスの要求はまた別の方法で通報されてもよい。例えば、加入者Ａの接続要求は、加入者の識別コードにしたがってサービス交換局に送られ、そこで特定のサービスを自動的にトリガーしてもよい。サービスの要求はまた特定アドレス以外の方法で伝達されてもよい。例えば、端末ＴＥの特定のボタンを押すことにより、サービス交換局ＳＳＰ１によってサービス要求として認識される特定のシグナリングメッセージが送信されてもよい。
【００２１】
サービスサポートシステムを有しないサービス交換局からサービスサポートシステムを有するサービス交換局に接続要求を送ることもできる。
【００２２】
メッセージＲＥＱ２の受信時に、サービスに割当てられたサービス論理装置がサービス制御装置、例えばサービス制御装置ＳＣＰ１において付勢される。同時に、サービス制御装置ＳＣＰ１はサービスサポートシステムＩＰ１にメッセージＭＬＯＡＤを送り、このシステムＩＰ１が要求されたサービスに割当てられた制御プログラムＰＲＯを要求している端末ＴＥにロードする。その後、端末ＴＥにおける制御プログラムＰＲＯとサービス制御装置ＳＣＰ１におけるサービス論理装置とが共同することによってサービスが提供される。このため制御メッセージＳＥＲＶＩＣＥは、端末ＴＥとサービス制御装置ＳＣＰ１との間において交換される。サービスが提供された後、制御プログラムは端末ＴＥから除去される。
【００２３】
端末ＴＥは、バスのような通信媒体を介して互いに接続されている通信装置ＫＯＭ１、メモリ装置ＭＥＭ、いくつかの周辺素子ＰＨ１およびＰＨ２、並びにプロセッサＰＲＯＺを含んでいる。
通信装置ＫＯＭ１は、通信ネットワークＫＮ１へのインターフェイスを提供する。したがって、アナログ加入者アクセス接続またはＩＳＤＮ加入者アクセス接続（ＩＳＤＮ＝サービス統合デジタル網）のいずれを介して端末が通信ネットワークに接続されているかに応じて、通信装置ＫＯＭ１は、伝送チャンネルを介した通信および信号プロトコルの処理を可能にする異なるハードウェアおよびソフトウェアモジュールから構成されている。
メモリ装置ＭＥＭは、メモリチップ（ＲＡＭ，ＥＰＲＯＭ）のような書込み可能な記憶装置、またはハードディスク駆動装置である。
周辺素子ＰＨ１およびＰＨ２は、加入者Ａからデータを入力し、かつ加入者Ａにデータを出力するように機能する。それらは、キーボード、マウス、トラックボールまたはマイクロホンのような入力手段、或はディスプレイ、観察スクリーンまたはラウドスピーカのような出力手段である。
プロセッサＰＲＯＺは、機能を決定し、また端末ＴＥの動作を制御するメモリ装置ＭＥＭに記憶された制御プログラムを実行する。
【００２４】
この制御プログラムおよび端末ＴＥの基礎的なハードウェアプラットフォームは、素子ＰＨ１およびＰＨ２並びに通信装置ＫＯＭ１によるデータの入力および出力を制御し、したがって端末ＴＥの機能を決定する制御装置を形成する。他方、それらはサービス装置と通信し、ここでは制御プログラムＰＲＯであるロードされるべき制御プログラムの通信装置ＫＯＭ１による受信を制御して、ロードプロトコルにしたがってメモリ装置ＭＥＭ中の特定の位置にこの受信された制御プログラムを記憶させるロード装置を形成する。制御プログラムがメモリ装置ＭＥＭに完全に記憶されたとき、それは制御装置の動作中に含まれ、したがって端末ＴＥの機能の決定に貢献する。その機能の実行のために、制御プログラムＰＲＯはメモリ装置ＭＥＭに記憶された別の制御プログラムをスタートさせることができる。
任意の制御プログラムが任意の端末中にロードされる標準規格化されたロードプロトコルに基づいた単一の標準規格化されたロード方法を提供することが有効である。
【００２５】
以下、図３によりサービス装置ＳＵの詳細な構造を説明する。
図３は、サービス制御装置ＳＣＰ１、サービス交換局ＳＳＰ１、サービスサポートシステムＩＰ１および端末ＴＥを示している。
サービス制御装置ＳＣＰ１は、制御装置ＣＯＮＴＲ１、通信装置ＫＯＭ２および３つのサービス論理装置ＳＬ１乃至ＳＬ３を含んでいる。制御装置ＣＯＮＴＲ１は、サービス論理装置ＳＬ１乃至ＳＬ３および通信装置ＫＯＭ２とデータを交換し、通信装置ＫＯＭ２が通信ネットワークＫＮ２を介してデータを交換する。通信装置ＫＯＭ２は、通信ネットワークＫＮ２を介したサービス交換局ＳＳＰ１乃至ＳＳＰ３およびサービスサポートシステムＩＰ１乃至ＩＰ３とのメッセージの交換に必要な通信サービスを提供する。この通信は、ＩＮＡＰプロトコル（ＩＮＡＰ＝インテリジェントネットワークアプリケーションプロトコル）が重畳されたＣＣＩＴＴプロトコルＮｏ．７によるシグナリングネットワークに基づいている。
【００２６】
制御装置ＣＯＮＴＲ１は、サービス制御装置ＳＣＰ１において一般シーケンス制御を実行することができる。ここでは要求メッセージＲＥＱ２である要求メッセージの受信時に、それは、サービス論理装置ＳＬ１乃至ＳＬ３の、ここではサービス論理装置ＳＬ１であるこの要求に対応するものを付勢する。付勢に対して、それはサービス論理装置に割当てられたサービスプログラムをスタートする。さらに、それによってロードメッセージ、ここではメッセージＭＬＯＡＤがサービスサポートシステムＩＰ１に送信され、このメッセージによりこのサービス論理装置に割当てられた制御プログラムが端末ＴＥにロードされる。
【００２７】
サービス制御装置ＳＣＰ１はまた種々の数のサービス論理装置を有していてもよく、或はサービス論理装置に全部は割当てられていない通信サービスが本発明による方法を使用して提供されてもよい。後者の場合、このようなサービス論理装置の付勢により、制御プログラムは要求している端末にロードされない。ロードメッセージの送信はまた付勢されたサービス論理装置によって開始されてもよい。ロードメッセージの送信前に、要求している端末が制御プログラムの動作用に設計されているか否かを検査することも可能である。その場合、制御プログラムＰＲＯは端末にロードされる。そうでない場合には、制御プログラムＰＲＯはロードされず、要求された通信サービスは、付勢されたサービス論理装置のみによって、すなわちサービス論理装置が制御プログラムＰＲＯと共同せずに簡単化されたバージョンで提供される。
【００２８】
各サービス論理装置ＳＬ１乃至ＳＬ３は、特定の通信サービスを制御するために必要とされる機能を提供する。それらは、サービスプログラムおよびこのサービスプログラムに割当てられたデータによってそれぞれ形成されている。制御装置ＣＯＮＴＲ１による付勢の後、サービス交換局ＳＳＰ１およびサービスサポートシステムＩＰ１との制御メッセージの交換により接続要求をさらに処理し、かつ端末ＴＥとのメッセージの交換を制御することによって、サービス論理装置ＳＬ１乃至ＳＬ３のそれぞれが各通信サービスを提供する。このメッセージの交換によって、付勢されたサービス論理装置は、適切なプロトコルを使用して、動作が制御プログラムＰＲＯによって制御された端末ＴＥ中の制御装置と通信する。したがって、例えばサービス論理装置ＳＬ１に割当てられた通信サービスは、端末ＴＥの機能を制御するこの制御プログラムＰＲＯと共同するサービス論理装置ＳＬ１によって提供される。
【００２９】
サービス交換局ＳＳＰ１は、２個の通信装置ＫＯＭ３およびＫＯＭ４、２個の制御装置ＣＯＮＴＲ３およびＣＯＮＴＲ４、スイッチングネットワークＳＷ、および２個のライン装置ＰＨ３およびＰＨ４を含んでいる。
【００３０】
ライン装置ＰＨ３およびＰＨ４並びに通信装置ＫＯＭ４は、スイッチングネットワークＳＷを介してデータを交換する。制御装置ＣＯＮＴＲ４は、通信装置ＫＯＭ４から信号データを受取り、スイッチングネットワークＳＷおよび制御装置ＣＯＮＴＲ３と制御データを交換し、制御装置ＣＯＮＴＲ３は通信装置ＫＯＭ４から信号データを受取り、通信装置ＫＯＭ３および通信ネットワークＫＮ２を介してデータを交換する。
【００３１】
ライン装置ＰＨ３およびＰＨ４は、通信ネットワークＫＮ１の加入者へのインターフェイスおよび別の交換局に導かれているトランクを結合するためのインターフェイスを提供する。さらに、ライン装置ＰＨ４は、サービスサポートシステムＩＰ１に接続されている少なくとも１つの伝送およびシグナリングチャンネルへのインターフェイスを提供する。
【００３２】
通信装置ＫＯＭ４は、接続を設定および解除し、またサービスを要求するように機能する信号メッセージを受取るように作用する。通信装置ＫＯＭ３は、通信装置ＫＯＭ２に対応する。
【００３３】
制御装置ＣＯＮＴＲ４は、交換局において通常の制御機能を実行し、したがって特にスイッチングネットワークＳＷを制御する。
【００３４】
制御装置ＣＯＮＴＲ３は、制御装置ＣＯＮＴＲ４のものと同じハードウェアおよびソフトウェアプラットフォームに基づいており、動作が制御装置ＣＯＮＴＲ４によって制御される呼処理制御に作用する。制御装置は、サービス要求の通知、例えば呼出される加入者の番号を表すサービス識別コードを含む接続要求の通知を検出する。呼処理制御に作用する能力により、制御装置ＣＯＮＴＲ３はサービス制御装置に送信された制御メッセージにしたがって接続要求をさらに処理することを制御することができる。さらに、このような制御命令に基づいて、制御装置ＣＯＮＴＲ３は、通信装置ＫＯＭ４によってシグナリングチャンネルを介して要求している端末ＴＥとメッセージを交換することができる。通信装置ＫＯＭ４が適切な設計のものならば、制御装置ＣＯＮＴＲ３もまた伝送チャンネルを介して端末ＴＥとメッセージを交換することができる。
【００３５】
サービスサポートシステムＩＰ１は、２個の通信装置ＫＯＭ６およびＫＯＭ７、ロード装置ＬＯＡＤ、並びにデータベースＤＢを含んでいる。
【００３６】
通信装置ＫＯＭ６は、通信装置ＫＯＭ２に対応する。通信装置ＫＯＭ７は、伝送チャンネルを介して端末ＴＥとデータを交換するために必要とされる機能装置を提供する。端末ＴＥが通信ネットワークＫＮ１へのアナログ接続だけを有している場合、通信装置ＫＯＭ７は、データ伝送に必要な符号化を実行するモデムを含む。モデムに加えて、或はその代わりとして、通信装置ＫＯＭ７はＩＳＤＮにおけるＤチャンネルのようなシグナリングチャンネルを介したデータ通信を可能にするモジュールを含んでいてもよい。
【００３７】
データベースＤＢは、異なる通信サービスに割当てられたいくつかの制御プログラムを含んでいる。データベースＤＢをサービスサポートシステムに内蔵する代わりに、いくつかのサービスサポートシステムによってアクセスされることのできるデータ局が設けられていてもよい。
【００３８】
ロード装置ＬＯＡＤは、データベースＤＢに記憶された制御プログラムの通信ネットワークＫＮ１の端末へのロードを制御する。それは、ロードプロトコルにしたがって通信装置ＫＯＭ７を介して端末ＴＥにおけるロード装置と通信する。この通信のために、通信ネットワークＫＮ１における制御装置ＣＯＮＴＲ３またはロード装置ＬＯＡＤは、サービス交換局ＳＳＰ１を介して端末ＴＥとサービスサポートシステムとの間に伝送チャンネルを設定する。この通信の過程においてロード装置ＬＯＡＤは、１以上のデータパケットの形態のデータセットとして制御プログラムを端末ＴＥ中のロード装置に送る。
スイッチングネットワークを介してこれらのデータパケットを端末ＴＥに送信し、したがって伝送チャンネルの設定を不要にすることも可能である。
【００３９】
第２の実施形態において、本発明による方法は、本発明によるサービス装置が単一の交換局または交換機である通信環境において実行される。
【００４０】
この交換機は、構内交換機、セントレックス交換機、または任意の加入者に通信サービスを提供する付加的な機能を含んでいる標準的な交換機である。この交換機は、それが通信装置ＫＯＭ３を含まず、またサービス論理装置ＳＬ１乃至ＳＬ３、データベースＤＢ、ロード装置ＬＯＡＤおよび制御装置ＣＯＮＴＲ１に対応した付加機能グループを含んでいることを除き、サービススイッチング点ＳＳＰ１と同じ設計のものである。これらの機能グループは、図３のものと同様にして相互作用する。
【図面の簡単な説明】
【図１】本発明によるサービス装置を備えた通信環境の概略図。
【図２】図１の通信環境の一部分の概略図。
【図３】図２に示された通信環境の一部分の詳細なブロック図。
【図１】
0003792842.tif 000002
【図２】
0003792842.tif 000003
【図３】
0003792842.tif 000004